(57)【要約】  本発明に係る位置管理システムは、予め設定された時間間隔を開けて周期的に動作及び待機状態を繰り返し、動作状態で自分の固有情報を含む近距離無線通信信号を送出し、管理対象が有しているユーザ端末；ユーザ端末の固有情報と管理対象を管理する管理者情報を含むユーザ管理情報を全体的に収集、管理しながら、位置の把握が必要な管理対象の位置情報を把握し、管理者に提供するユーザ端末管理サーバ；及び、予めユーザ端末が送出する信号の固有情報を格納し、ユーザ端末が送出する近距離無線通信信号を受信すると、受信された信号内の固有情報と格納していた固有情報とが一致するか否か確認し、一致する場合、自分が獲得した位置情報と時間情報を固有情報と共にユーザ端末管理サーバに提供する位置情報中継端末を備える。
2015515831.tif 000002
【特許請求の範囲】
【請求項１】
管理対象であるユーザの位置を把握して管理するためのシステムにおいて、
予め設定された時間間隔を開けて周期的に動作及び待機状態を繰り返し、動作状態で自分の固有情報を含む近距離無線通信信号を送出し、管理対象が有しているユーザ端末；
前記ユーザ端末の固有情報と管理対象を管理する管理者情報を含むユーザ管理情報を全体的に収集、管理しながら、位置の把握が必要な管理対象の位置情報を把握し、前記管理者に提供するユーザ端末管理サーバ；及び、
予めユーザ端末が送出する信号の固有情報を格納し、前記ユーザ端末が送出する近距離無線通信信号を受信すると、受信された信号内の固有情報と格納していた固有情報とが一致するか否か確認し、一致する場合、自分が獲得した位置情報と時間情報を前記固有情報と共に前記ユーザ端末管理サーバに提供する位置情報中継端末を含むことを特徴とする位置管理システム。
【請求項２】
管理対象であるユーザが自分の位置を知らせるための端末装置において、
自分の固有情報を予め定められた近距離無線通信プロトコルに従う信号に乗せて送出する通信モジュール；
前記通信モジュールが、前記固有情報が乗せられた近距離無線通信信号を送出する動作を、所定の間隔を開けて周期的に行うように制御する制御部；及び、
前記通信モジュールを通じて送出する固有情報を含む情報を格納する格納部を含むことを特徴とする端末装置。
【請求項３】
管理対象であるユーザが自分の位置を知らせるための端末装置において、
近距離無線通信プロトコルのアクセスポイント（ＡＰ）として動作可能な移動通信端末；及び、
前記移動通信端末に搭載され、予め設定された時間間隔を開けて周期的に近距離無線通信プロトコルのアクセスポイント（ＡＰ）として動作するように制御する制御モジュールを含むことを特徴とする端末装置。
【請求項４】
管理対象が有している端末装置に対する位置情報を中継するための端末の制御モジュールに関するものであって、
管理対象が有している端末装置に関する固有情報を格納・管理する情報管理部；
近距離通信を通じて外部端末装置から受信した固有情報と、前記情報管理部に格納された固有情報と、が一致するか否か判断する情報確認部；及び、
前記情報確認部から固有情報が一致することを示す信号を受信すれば、位置情報を獲得し、前記一致した固有情報と共に外部に伝送するように制御する情報提供部を含むことを特徴とする位置情報中継端末の制御モジュール。
【発明の詳細な説明】
【技術分野】
【０００１】
本発明は、管理対象の位置を容易に把握し、その情報を管理者（保護者など）に速やかに提供するための位置管理システムに関する。
【背景技術】
【０００２】
子供、痴呆老人、精神障害者・身体不自由者などは、状況を認識及び判断する能力が相対的に不足しているため、誘拐、拉致、強盗のような犯罪及び失踪に衰弱し、徹底的な管理が必要である。
【０００３】
政府や特定の民間団体の主導下で、子供、痴呆老人、精神障害者・身体不自由者などが誘拐、拉致、強盗、失踪などの環境に露出されないようにする多様な試みが進行されているが、現実的に子供、痴呆老人、精神障害者・身体不自由者などを誘拐、拉致、強盗、失踪などの環境から完全に保護することには難しい問題がある。
【０００４】
これに関し、韓国登録特許第１０−０６２７６５５号公報（以下、'６５５特許という。）は、ユーザが誘拐、拉致、強盗、迷子などの緊急な状況が発生した場合に救助要請ができる方法を開示している。'６５５特許は、救助要請者が携帯している無線ＩＤ及びデータ発送装置が、救助要請のためのデータをブロードキャスティング（ｂｒｏａｄｃａｓｔｉｎｇ）し、不特定多数の移動通信端末がブロードキャスティングを通じて受信されたデータと位置情報を中継して中央統制所に伝送し、中央統制所が受信されたデータと位置情報を分析して関連機関に伝送するように構成される。
【０００５】
ところが、'６５５特許は、ユーザが救助を要請するために、無線ＩＤ及びデータ発送装置に設けられた非常ボタンを押せば構造要請が進行するように構成されている。よって、認知能力の少ない子供、痴呆老人、精神障害者・身体不自由者などが無線ＩＤ及びデータ発送装置を有しているとしても、緊急状況の発生を認知して非常ボタンを押すことができず、構造の要請ができなくなる問題が発生する可能性がある。
【０００６】
また、ユーザが有している端末装置の構成が複雑であり、製作費用が高価であるため、ユーザに経済的な負担を加重させる問題がある。
【先行技術文献】
【特許文献】
【０００７】
【特許文献１】韓国登録特許第１０−０６２７６５５号公報
【発明の概要】
【発明が解決しようとする課題】
【０００８】
本発明は、前述の問題点を考慮して案出されたものであって、ユーザによる別途の行為なしに、ユーザがユーザ端末を有しているだけでも、ユーザの位置を容易に確認できる位置管理システムを提供することにその目的がある。
【０００９】
また、本発明の他の目的は、簡単に構成されており、経済性の高いユーザ端末装置を提供することにある。
【００１０】
尚、本発明の更に他の目的は、ユーザ端末の周辺に位置する一般的な移動通信端末がユーザ端末の位置情報を中継する機能を行うように制御する制御モジュールを提供することにある。
【課題を解決するための手段】
【００１１】
本発明の一側面による位置管理システムは、予め設定された時間間隔を開けて周期的に動作及び待機状態を繰り返し、動作状態で自分の固有情報を含む近距離無線通信信号を送出し、管理対象が有しているユーザ端末；前記ユーザ端末の固有情報と管理対象を管理する管理者情報を含むユーザ管理情報を全体的に収集、管理しながら、位置の把握が必要な管理対象の位置情報を把握し、前記管理者に提供するユーザ端末管理サーバ；及び、予めユーザ端末が送出する信号の固有情報を格納し、前記ユーザ端末が送出する近距離無線通信信号を受信すると、受信された信号内の固有情報と格納していた固有情報とが一致するか否か確認し、一致する場合、自分が獲得した位置情報と時間情報を前記固有情報と共に前記ユーザ端末管理サーバに提供する位置情報中継端末を含むことを特徴とする。
【００１２】
本発明の他の側面によるユーザ端末は、自分の固有情報を予め定められた近距離無線通信プロトコルに従う信号に乗せて送出する通信モジュール；前記通信モジュールが、前記固有情報が乗せられた近距離無線通信信号を送出する動作を、所定の間隔を開けて周期的に行うように制御する制御部；及び、前記通信モジュールを通じて送出する固有情報を含む情報を格納する格納部を含むことを特徴とする。
【００１３】
本発明の更に他の側面によるユーザ端末は、近距離無線通信プロトコルのアクセスポイント（ＡＰ）として動作可能な移動通信端末；及び、前記移動通信端末に搭載され、予め設定された時間間隔を開けて周期的に近距離無線通信プロトコルのアクセスポイント（ＡＰ）として動作するように制御する制御モジュールを含むことを特徴とする。
【００１４】
本発明の更に他の側面による位置情報中継端末の制御モジュールは、管理対象が有している端末装置に関する固有情報を格納・管理する情報管理部；近距離通信を通じて外部端末装置から受信した固有情報と、前記情報管理部に格納された固有情報と、が一致するか否か判断する情報確認部；及び、前記情報確認部から固有情報が一致することを示す信号を受信すれば、位置情報を獲得し、前記一致した固有情報と共に外部に伝送するように制御する情報提供部を含むことを特徴とする。
【発明の効果】
【００１５】
本発明に係る位置管理システム及び方法によると、次のような効果がある。
【００１６】
認知能力の少ない子供、痴呆老人、精神障害者・身体不自由者などのようなユーザによる別途の操作なしに、近距離通信連結が可能な端末を有しているだけで、保護者がこれらの位置を容易に確認できる。
【００１７】
保護者が、認知能力の少ない子供、痴呆老人、精神障害者・身体不自由者などの位置を容易に確認できるようにすることで、認知能力の少ないユーザの失踪の危険性を減らすことができる。
【００１８】
端末によってブロードキャスティングされる固有情報のみを用いてユーザの位置を確認することができるので、ユーザの位置を提供する装置を小型で具現することができる。
【００１９】
広く普及された移動通信端末を媒介として、ユーザの位置を迅速かつ正確に中継することができる。
【００２０】
動物及び物件（貴重品、自動車）などに小型通信端末を取り付けることで、救助要請を送信することができない動物や物件（貴重品、自動車）の位置を自動的に確認できるため、動物及び物件（貴重品、自動車）などの紛失の危険性を減らすことができる。
【図面の簡単な説明】
【００２１】
【図１】本発明に係る位置管理システムの構成を示す全体構成図である。
【図２】本発明の一実施例に係るユーザ端末の構成図である。
【図３】本発明の他の実施例に係るユーザ端末の構成図である。
【図４】本発明の一実施例に係る制御モジュールを備えた位置情報中継端末の構成を示すブロック図である。
【発明を実施するための形態】
【００２２】
以下、本発明の好ましい実施例を、添付した図面を参照して詳しく説明する。下記の説明では、具体的な特定事項が示されているが、これは本発明のより全般的な理解を助けるために提供されたものであり、特定事項が本発明の範囲内で所定の変形や変更ができるのは、当該技術分野において通常の知識を持つ者にとって自明であると言えるだろう。
【００２３】
図１は、本発明が適用される位置管理システムの構成を概略的に示す概念図である。
【００２４】
図１を参照すると、本発明が適用される位置管理システムは、予め定められた時間単位ごとに動作して、自分の固有情報を出力するユーザ端末１１、ユーザ端末１１への固有情報を受信すれば、その時点での位置情報と、受信されたユーザ端末固有情報と、を共に伝送する複数の位置情報中継端末１２、ユーザ端末１１の情報を格納管理しながら、複数の位置情報中継端末１２から提供された位置情報によって位置が把握されたユーザ端末１１の管理対象有無を確認し、それに相応する後続処理を行うユーザ端末管理サーバ１４、及び管理対象ユーザ端末１１の情報をユーザ端末管理サーバ１４に登録し、ユーザ端末管理サーバ１４から管理対象ユーザ端末の位置情報の提供を受ける管理者端末１３を含む。
【００２５】
本発明の一実施例において、複数の位置情報中継端末１２は、ユーザ端末１１から近距離無線通信を通じて出力される信号の受信ができる、近距離に位置した不特定多数の移動通信端末を意味する。さらに、ユーザ端末１１の現在位置と位置情報中継端末１２の現在位置は、誤差範囲内で同一であるため、ユーザ端末１１の位置情報を把握することにおいて、中継端末１２の位置情報を用いるようにした。
【００２６】
ユーザ端末１１は、失踪の危険性のある子供、老人、精神障害者・身体不自由者、痴呆患者などのような管理対象ユーザが有している端末であって、予め定められた時間間隔を開けて動作し、自分の固有情報を含む所定の近距離無線通信信号を送信する。具体的に、ユーザ端末１１は、近距離通信モジュールを備えるが、通信モジュールは、ユーザの固有情報を送信するためのものであって、常に動作するものではなく、予め定められた時間間隔を開けて動作の開始及び待機を繰り返すように制御される。ユーザ端末１１の通信モジュールが間歇的に動作するようにした理由は、ユーザ端末１１に備えられた携帯用電源の電力消耗を最小化することで、ユーザ端末１１を長期間使用可能にし、位置情報中継端末１２がユーザ端末１１が定められた時間に伝送する固有情報を受信するように時間同期作業をするためである。
【００２７】
また、通信モジュールは、近距離無線通信を行うモジュールであって、ワイファイ（Ｗｉ−Ｆｉ）、ＮＦＣ、ブルートゥース、ジグビー、ＵＷＢなどのプロトコルの中、少なくとも何れか一つを支援するモジュールであることができ、ワイファイプロトコルを支援するモジュールであることが望ましい。さらに、ユーザ端末が送出する固有情報は、少なくとも近距離通信用ＳＳＩＤとＭＡＣアドレスとを含む。
【００２８】
一方、位置情報中継端末１２は、通常使われている移動通信端末であって、通常的に近距離無線通信ができる第１の通信モジュールと、移動通信網との通信を行う第２の通信モジュールと、を含む。また、位置情報中継端末１２は、本発明に係る制御モジュールを備え、第１の通信モジュールを通じてユーザ端末１１が出力する信号を受信するが、ユーザ端末信号に含まれた固有情報を確認すると、その地点で位置情報を確認し、確認された位置情報を移動通信網や無線インターネット網を通じて全てのユーザ端末管理サーバ１４に提供する機能を行う。
【００２９】
すなわち、第１の通信モジュールがユーザ端末１１から送出された近距離無線通信信号を受信すると、受信した信号に含まれた固有情報を確認し、管理対象ユーザ端末から送出されたＳＳＩＤであることが確認されれば、内部の位置情報確認モジュールから現在の位置情報を獲得し、ＳＳＩＤと共に受信したユーザ端末のＭＡＣアドレスと位置情報を、移動通信網や無線インターネット網を通じてユーザ端末管理サーバ１４に伝送する。
【００３０】
位置情報中継端末１２に備えられた位置情報確認モジュールは、ＧＰＳモジュール、北斗航法モジュール、グロナスモジュール、ＣＯＭＰＡＳＳモジュール、ガリレオモジュール、ＩＲＮＳＳモジュール、ＱＺＳＳモジュール、ＥＧＮＯＳモジュール、ＧＡＧＡＮモジュール、ＬＡＡＳモジュール、ＭＳＡＳモジュール、ＷＡＡＳモジュール、スパタイヤモジュールの中、少なくとも何れか一つを含むことができる。
【００３１】
管理者端末１３は、ユーザを管理する管理者（例えば、保護者など）が所持及び管理する通常的な移動通信端末であることができ、ユーザ端末管理サーバ１４と有無線通信網を通じて連結される。管理者端末１３は、ユーザ端末管理サーバ１４に接続して、ユーザ端末１１の管理のための情報を入力し、ユーザ端末管理サーバ１４が送信するユーザ端末に対する位置情報を受信して、ユーザの位置が確認できるようにする。
【００３２】
また、管理者端末１３は、ユーザ端末１１と一対一の通信ができるように構成可能である。これは、管理者がユーザ端末管理サーバ１４が提供した位置情報に従って該当地点に到逹し、ユーザ端末１１の信号を検索するために、または通信連結状態でユーザ端末１１の内部機能を変更する際に必要な可能性があるためである。
【００３３】
ユーザ端末管理サーバ１４は、管理対象ユーザ端末の情報と、該当ユーザ端末の位置情報と、を管理するサーバであって、管理者端末１３から特定のユーザ端末に対する管理要請を受け付けて管理できる環境（例えば、ウェブサーバ、アプリケーションなど）を提供し、管理者端末１３が要請した管理対象ユーザ端末の管理情報を格納管理する。また、位置情報中継端末１２から伝送されてくるユーザ端末に対する固有情報と位置情報を随時受信し、データベースに格納された管理対象ユーザ情報と比べて管理対象ユーザ端末であるか否か確認した後、管理対象として設定されたユーザ端末に関する情報が受信された場合、管理者端末１３に通知する機能を行う。
【００３４】
ユーザ管理情報は、ユーザ端末１１の固有情報、ユーザ端末１１を有しているユーザ情報、ユーザ端末管理等級情報、及び管理者（保護者）情報などを含むことができ、ユーザ端末管理等級情報は、管理者（保護者）が要請したユーザの状態を示す一般、失踪、紛失、緊急などに設定されることができ、管理者情報は、管理者の名前、電話番号、電子メール、住所、関係、対応する管理者端末識別者などを含むことができる。
【００３５】
以下、本発明に係る位置管理システムの全体的な動作について概略的に説明する。下記の位置管理システムの動作説明において、基本的にユーザ端末管理サーバ１４が管理者端末１３からユーザ管理情報の入力を受けて格納及び管理し、位置情報中継端末１２が伝送したユーザ端末１１に対する位置情報を確認及び提供する機能を行う環境で動作することを例示する。
【００３６】
まず、管理者が管理対象として設定した、失踪危険のある子供、老人、精神障害者・身体不自由者、痴呆患者などのようなユーザが有しているユーザ端末１１は、内部に備えられた通信モジュールが、予め定められた時間間隔を開けて周期的に動作するようにした。これによって、ユーザ端末１１は、予め定められた近距離通信プロトコルによって、自分の固有情報を含む近距離無線通信信号を一定な時間間隔を開けて周辺にブロードキャスティングし、ユーザ端末１１の信号到達カバレージ内に位置した不特定多数の位置情報中継端末１２は、内部の第１の通信モジュールを通じてユーザ端末１１の固有情報（ＳＳＩＤ、ＭＡＣアドレス）を受信するようになる。
【００３７】
ユーザ端末１１の固有情報を受信した位置情報中継端末１２は、予め格納していたユーザ端末固有情報（ＳＳＩＤ）と一致するか否か確認し、一致する場合、その時点の時間情報と位置情報を獲得するようになる。その後、ユーザ端末固有情報及び位置情報中継端末１２の時間情報、位置情報を、第２の通信モジュールを用いて移動通信網や無線インターネット網を通じてユーザ端末管理サーバ１４に伝送する。
【００３８】
ユーザ端末管理サーバ１４は、位置情報中継端末１２からユーザ端末関連情報を受信すると、内部のデータベースを確認して、受信されたユーザ端末関連情報に対応する管理者端末１３を確認し、位置情報中継端末１２から受信したユーザ端末関連位置情報と時間情報を、ユーザ端末１１に対応する管理者端末１３に伝送する。
【００３９】
このような動作を通じて、管理対象として設定したユーザの位置を管理者（保護者など）が容易に確認できるようになる。
【００４０】
以上、本発明に係る位置管理システムの動作を概略的に説明しており、ユーザ端末１１と位置情報中継端末１２の詳細な構成と動作は以下で詳しく説明する。
【００４１】
図２は、本発明の一実施例に係るユーザ端末１１の構成を示すブロック図である。図２を参照すると、本発明の一実施例に係るユーザ端末１１は、基本的に、通信モジュール１１１、制御部１１２、電源部１１３、電源制御部１１４、及び格納部１１５を備える。
【００４２】
通信モジュール１１１は、近距離無線通信を行うモジュールであって、ワイファイ（Ｗｉ−Ｆｉ）、ＮＦＣ、ブルートゥース、ジグビー、ＵＷＢなどのプロトコルの中、少なくとも何れか一つを支援するモジュールであることができ、ワイファイプロトコルを支援するモジュールであることが望ましい。
【００４３】
通信モジュール１１１は、基本的に自分の固有情報（インターネットＩＰ、ＳＳＩＤ、ＭＡＣアドレスなど）を近距離無線通信を用いてブロードキャスティングし、固有情報を周辺の位置情報中継端末１２が受信できるようにする。
【００４４】
制御部１１２は、ユーザ端末１１の全般的な動作を制御する装置であって、内部に備えられた機能部の動作を制御する。
【００４５】
電源部１１３は、ユーザ端末１１が動作することに必要な電源を供給する装置であって、ニッケル−カドミウム電池（ＮｉＣｄ）、ニッケル水素蓄電池（ＮｉＭＨ）、リチウムイオン電池（Ｌｉ−ｉｏｎ）、リチウムイオンポリマー電池（Ｌｉ−ｉｏｎ  ｐｏｌｙｍｅｒ）などのように、充電可能な二次電池を含む。電源部１１３は、外部から提供される電源を用いて、二次電池を充電することができる充電端子を含むことができ、ひいては太陽エネルギーを電気エネルギーに変換して提供できる太陽電池を更に含むこともできる。
【００４６】
ユーザ端末１１は、前述した通り、常に動作することなく、定められた周期で動作するのが好ましいが、このために電源制御部１１４は、ユーザ端末１１に備えられた携帯用電源部１１３の電力消耗を最小化するように、通信モジュール１１１及び制御部１１４が、予め定められた周期で一定時間だけ動作するように制御し、残りの時間の間には待機状態を維持するよう、ユーザ端末１１の機能部に提供される電源を制御する。格納部１１６は、ユーザ固有情報及び機能設定情報などを格納しておくためのメモリーである。
【００４７】
前述した構成要素を備えたユーザ端末１１の詳細な動作は、次のようである。
【００４８】
通信モジュール１１１と制御部１１２とを含むユーザ端末１１に備えられた機能部は、動作待機状態を維持し、電源制御部１１４の時間カウントによって、予め定められた時間に到逹すれば、制御部１１２及び通信モジュール１１１に電源を供給し、動作状態に切り替える。
【００４９】
これに対応して、通信モジュール１１は、自分の固有情報をブロードキャスティングするようになり、予め定められた時間が経過すれば、電源制御部１１４の制御によって、制御部１１２、通信モジュール１１１などは、また待機状態に切り替える。
【００５０】
図３は、本発明の他の実施例に係るユーザ端末の主要構成を示すブロック図である。図３に示すユーザ端末の他の実施例は、テザリング（ｔｅｔｈｅｒｉｎｇ）機能を支援するスマートフォンのような通常の移動通信端末を用いて具現した実施例であって、図２に示すユーザ端末の機能をアプリケーションソフトウェアで具現し、スマートフォンのような移動通信端末に搭載したものである。
【００５１】
テザリング機能とは、移動通信端末がワイファイ通信のアクセスポイント（ＡＰ）機能を行うように制御する機能であって、近来発売されているスマートフォンには基本的に内蔵されている機能である。
【００５２】
図３に示す構成は、通常的な移動通信端末の主要機能部を示すものであって、ワイファイ（Ｗｉ−Ｆｉ）、ＮＦＣ、ブルートゥース、ジグビー、ＵＷＢなどの近距離無線通信プロトコルを行う第１の通信モジュール１２１、ＣＤＭＡ、ＷＣＤＭＡ（登録商標）、ＧＳＭ（登録商標）、ＬＴＥなどのような通常の移動通信プロトコルを行う第２の通信モジュール１２２、及び内部に備えられた機能部の動作を全般的に制御する制御部１２９を基本的に備える。
【００５３】
よって、本発明に係るユーザ端末の他の実施例は、スマートフォンのような移動通信端末が、本発明に係るユーザ端末の機能を行うようにテザリング制御モジュール１２６を追加して具現したものであって、テザリング制御モジュール１２６は、アプリケーションソフトウェアで具現する。
【００５４】
テザリング制御モジュール１２６は、移動通信端末のテザリング機能を、予め設定された時間の周期で動作するように制御する。すなわち、定められた時間に到逹すれば、移動通信端末のテザリング機能をイネーブルさせるように制御し、制御部１２４は、近距離通信を担当する第１の通信モジュール１２１を通じて、ＳＳＩＤとＭＡＣアドレスとを含む固有情報を周辺にブロードキャスティングすることで、図２に示すユーザ端末の一実施例のような動作を行うようにする。
【００５５】
図４は、本発明の一実施例に係る制御モジュールを備えた位置情報中継端末１２の構成を示すブロック図である。
【００５６】
図４を参照すると、位置情報中継端末は、通常的な移動通信端末であって、ワイファイ（Ｗｉ−Ｆｉ）、ＮＦＣ、ブルートゥース、ジグビー、ＵＷＢなどの近距離無線通信プロトコルを行う第１の通信モジュール２２１、ＣＤＭＡ、ＷＣＤＭＡ（登録商標）、ＧＳＭ（登録商標）、ＬＴＥなどのような通常の移動通信プロトコルを行う第２の通信モジュール２２２、及び内部に備えられた機能部の動作を全般的に制御する制御部２２９を基本的に備える。このような位置情報中継端末は、本発明に係る位置情報中継制御モジュール２２３を備えるが、制御モジュール２２３は、第１の通信モジュール２２１がユーザ端末１１の固有情報を受信すれば、位置情報と時間情報とを確認し、位置情報と時間情報とを第１の通信モジュール２２１を通じて無線インターネット網に、或いは第２の通信モジュール２２２を通じて移動通信網に送信する機能を行う。
【００５７】
このような位置情報中継制御モジュール２２３は、情報確認部２２４、情報提供部２２６、及び情報管理部２２７を含むことができる。
【００５８】
情報確認部２２４は、位置情報中継端末１２の第１の通信モジュール２２１を通じて受信される近距離無線通信信号のＳＳＩＤとＭＡＣアドレスを確認するように制御部２２９に要請し、制御部２２９から伝達を受けたＳＳＩＤとＭＡＣアドレスが、情報管理部２２７で格納管理している情報と同一であるか否かを判断し、同一である場合、これを情報提供部２２６に通知する。
【００５９】
情報提供部２２６は、情報確認部２２４からＳＳＩＤとＭＡＣアドレスが一致していることを通知する信号を受信すれば、制御部２２９に要請し、位置情報確認モジュール２２５が把握した現位置情報と時間情報を、第２の通信モジュール２２２を通じてユーザ端末管理サーバ１４に伝送するように制御する。
【００６０】
好ましい実施例として、位置情報中継制御モジュール２２３は、ソフトウェアモジュールにより構成されることができ、アプリケーションプログラムとして位置情報中継端末１２に設置され、制御部１２９により行われ、メモリー２２８に搭載される。
【００６１】
以上、本発明の実施例において、ユーザ端末がユーザによって所持されることを中心として例示したが、本発明はこれに限定されず、ユーザ端末は、人のみならず動物、貴重品、自動車などに適用できるように多様に変更可能である。
【００６２】
さらに、前述した本発明の実施例は、コンピューターで実行できるプログラムにより作成可能であり、コンピューターで読み取り可能な記録媒体を用いてプログラムを動作させる汎用デジタルコンピューターで具現可能である。また、前述した本発明の実施例において使われているデータの構造は、コンピューターで読み取り可能な記録媒体に多様な手段を通じて記録され得る。コンピューターで読み取り可能な記録媒体は、マグネチック格納媒体（例えば、ＲＯＭ、フロッピー（登録商標）ディスク、ハードディスクなど）、光学的判読媒体（例えば、ＣＤ−ＲＯＭ、ＤＶＤなど）、ＥＰＲＯＭ、ＥＥＰＲＯＭ、フラッシュメモリー装置のような非揮発性メモリーなどの格納媒体を含む。
【産業上の利用可能性】
【００６３】
本発明は、認知能力の少ない子供、痴呆老人、精神障害者・身体不自由者、動物、及び物件（貴重品、自動車）などのような管理対象の位置を容易に把握し、その情報を管理者（保護者など）に速やかに提供するための位置追跡サービス、公共安全サービス、位置基盤情報サービスなどの位置管理システム分野に適用可能である。
【図１】
2015515831.tif 000003
【図２】
2015515831.tif 000004
【図３】
2015515831.tif 000005
【図４】
2015515831.tif 000006
【国際調査報告】
2015515831.tif 000007
2015515831.tif 000008
2015515831.tif 000009
2015515831.tif 000010